(57)【特許請求の範囲】
【請求項１】
複数の色成分で構成された画像データを色成分毎のディジタルの伝送路を使用して画像形成部へデータを伝送する画像形成装置であって、
前記伝送路に、前記画像データと、前記画像データが取り得ない値を使用して前記画像データ以外の所定の情報を送信する送信部と、
前記伝送路を通じて伝送されてきたデータを受信し、該受信したデータが前記画像データの取り得る値の場合は前記データを前記画像データとして出力し、前記データが前記画像データの取り得ない値の場合は前記データを前記所定の情報に変換して出力する受信部と、
を有し、
前記画像データは、前記複数の色成分の合計の最大値が、前記色成分のそれぞれが取り得る最大値の合計値より小さい所定の制限値に制限されており、
前記送信部は、前記画像データの送信に伴って画像の同期信号として画像の有効領域外であることを示す同期情報を前記合計が前記制限値を超える第１の値になるようにして送信し、前記所定の情報として前記複数の色成分と異なる特色の色材を使用して画像形成するための特色情報を画像の有効期間に送信するときは前記合計が前記制限値を超える第２の値になるようにする
ことを特徴とする画像形成装置。
【請求項２】
前記送信部は、前記所定の情報を送信する場合に、前記複数の色成分のうちの所定の一部の色成分のみで前記制限値を超える値を生成する
ことを特徴とする請求項１に記載の画像形成装置。
【請求項３】
前記送信部は、前記特色情報を送信するとき前記所定の一部の色成分以外の色成分の伝送路に前記特色の濃度情報を送信する
ことを特徴とする請求項２に記載の画像形成装置。
【請求項４】
前記送信部は、前記同期情報を送信するとき、前記所定の一部の色成分以外の色成分の伝送路に他の情報を送信する
ことを特徴とする請求項２または３に記載の画像形成装置。
【請求項５】
前記合計が前記第２の値以外の所定の複数の値のいずれかである場合は前記同期情報であることを示し、前記複数の値のそれぞれは別の情報をさらに示す
ことを特徴とする請求項１または２に記載の画像形成装置。
【請求項６】
前記送信部は、画像の有効期間中は画素単位に、前記画像データを送信するか前記特色情報を送信するかを選択する
ことを特徴とする請求項１乃至５のいずれか１つに記載の画像形成装置。
【請求項７】
複数の色成分で構成された画像データを伝送するための伝送路を使用して画像形成部へデータを伝送するデータ伝送方法であって、
前記画像データは、前記複数の色成分の合計の最大値が、前記色成分のそれぞれが取り得る最大値の合計値より小さい所定の制限値に制限されており、
前記伝送路を使用して、前記画像データと、前記画像データが取り得ない値を使用して前記画像データ以外の所定の情報を前記画像形成部へ送信すると共に、前記画像データの送信に伴って画像の同期信号として画像の有効領域外であることを示す同期情報を前記合計が前記制限値を超える第１の値になるようにして送信し、前記所定の情報として前記複数の色成分と異なる特色の色材を使用して画像形成するための特色情報を画像の有効期間に送信するときは前記合計が前記制限値を超える第２の値になるようにする
ことを特徴とするデータ伝送方法。
【請求項８】
前記所定の情報を送信する場合に、前記複数の色成分のうちの所定の一部の色成分のみで前記制限値を超える値を生成する
ことを特徴とする請求項７に記載のデータ伝送方法。
【請求項９】
前記特色情報を送信するとき前記所定の一部の色成分以外の色成分の伝送路に前記特色の濃度情報を送信する
ことを特徴とする請求項８に記載のデータ伝送方法。
【請求項１０】
前記同期情報を送信するとき、前記所定の一部の色成分以外の色成分の伝送路に他の情報を送信する
ことを特徴とする請求項８または９に記載のデータ伝送方法。
【請求項１１】
前記合計が前記第２の値以外の所定の複数の値のいずれかである場合は前記同期情報であることを示し、前記複数の値のそれぞれは別の情報をさらに示す
ことを特徴とする請求項７または８に記載のデータ伝送方法。
【請求項１２】
画像の有効期間中は画素単位に、前記画像データを送信するか前記特色情報を送信するかを選択する
ことを特徴とする請求項７乃至１１のいずれか１つに記載のデータ伝送方法。
【発明の詳細な説明】
【技術分野】
【０００１】
本発明は、伝送路を通じて画像形成部へ画像データ等のデータを伝送する画像形成装置およびデータ伝送方法に関する。
【背景技術】
【０００２】
一般に、カラーの画像形成装置では、Ｃ（シアン）、Ｍ（マゼンタ）、Ｙ（イエロ）、Ｋ（ブラック）等の複数の基本色のトナーやインクを用いてカラー画像を形成する。画像形成装置は、印刷ジョブが入力されると、コントローラで印刷データを解析して画像データを生成(ＲＩＰ処理)し、生成した画像データを、画像形成部に伝送路を通じて転送し印刷する。ＲＩＰ処理では、Ｃ、Ｍ、Ｙ、Ｋの各色成分の濃度データ（たとえば、それぞれ８ｂｉｔのデータ）と文字／写真などの属性を示すＴＡＧ（Ａ）データが生成される。
【０００３】
さらに昨今では、Ｃ、Ｍ、Ｙ、Ｋの各色材の組み合わせでは表現しきれない特定の色(特色とする)を正確に再現して画像形成することを望む顧客が増えている。たとえば、図１０に示すように、会社のロゴ１００に使用した特色を印刷物において正確に再現する、といったことが要望される。このような要望に答えるために画像形成装置は、特色データの印刷に対応することが求められる。
【０００４】
一方で画像の高画質化(多bit化)によってコントローラから画像形成部に伝送すべきデータ量は増加している。高速に多量のデータを送るためにバス幅の大きい(レーン数の多い)ケーブルを使用すると、ケーブルのレイアウト性や品質の低下、コストの上昇等の問題を招いてしまう。
【０００５】
たとえば、図１１に示すように、特色に対応していない画像形成装置では、コントローラ１２０と画像形成部１１０との間で、Ｃ、Ｍ、Ｙ、Ｋ、Ａの各データと、水平同期信号（ＨＶ）、垂直同期信号（ＶＶ）、インデックス信号（ＩＤＸ）などを伝送している。特色に対応するためには、図１２に示すように、特色の濃度データ（Ｘ）を伝送するための信号線がさらに必要になる。そのために、ケーブルのバス幅を増やす、あるいは、新たなケーブルを敷設すると、前述した問題がさらに顕著になってしまう。
【０００６】
下記特許文献１には、ＴＡＧプレーンのビット数を拡張して特色で画像形成すべき画素か否かを示し、特色のときはＣ色のデータに代えて特色の濃度データを、Ｍ色のデータに代えて特色の種類を伝送するようにした画像形成装置が開示されている。
【先行技術文献】
【特許文献】
【０００７】
【特許文献１】特開２０１０−２７８４９４号公報
【発明の概要】
【発明が解決しようとする課題】
【０００８】
上記特許文献１に開示の技術では、ＴＡＧプレーンのビットを拡張しなければならない、あるいは、拡張できない場合はＴＡＧ情報の削減が必要になってしまう。
【０００９】
また、コントローラと画像形成部との間の信号線はできるだけ少ないことが望ましい。たとえば、水平同期信号（ＨＶ）、垂直同期信号（ＶＶ）などの同期信号、ページ間のコマンドなどを伝送するための信号線も削減されることが望まれる。
【００１０】
本発明は、上記の問題を解決しようとするものであり、通常の画像データに加えて多様な情報を少ない信号線で画像形成部へ伝送することのできる画像形成装置およびデータ伝送方法を提供することを目的としている。
【課題を解決するための手段】
【００１１】
かかる目的を達成するための本発明の要旨とするところは、次の各項の発明に存する。
【００１２】
［１］複数の色成分で構成された画像データを色成分毎のディジタルの伝送路を使用して画像形成部へデータを伝送する画像形成装置であって、
前記伝送路に、前記画像データと、前記画像データが取り得ない値を使用して前記画像データ以外の所定の情報を送信する送信部と、
前記伝送路を通じて伝送されてきたデータを受信し、該受信したデータが前記画像データの取り得る値の場合は前記データを前記画像データとして出力し、前記データが前記画像データの取り得ない値の場合は前記データを前記所定の情報に変換して出力する受信部と、
を有し、
前記画像データは、前記複数の色成分の合計の最大値が、前記色成分のそれぞれが取り得る最大値の合計値より小さい所定の制限値に制限されており、
前記送信部は、前記画像データの送信に伴って画像の同期信号として画像の有効領域外であることを示す同期情報を前記合計が前記制限値を超える第１の値になるようにして送信し、前記所定の情報として前記複数の色成分と異なる特色の色材を使用して画像形成するための特色情報を画像の有効期間に送信するときは前記合計が前記制限値を超える第２の値になるようにする
ことを特徴とする画像形成装置。
【００１３】
上記発明および下記［７］に記載の発明では、通常の画像データを伝送するための伝送路を通じて、通常の画像データと、該画像データ以外の情報を伝送することができる。従って、画像データ以外の情報を伝送するための信号線を増設する必要はない。
【００１８】
［２］前記送信部は、前記所定の情報を送信する場合に、前記複数の色成分のうちの所定の一部の色成分のみで前記制限値を超える値を生成する
ことを特徴とする［１］に記載の画像形成装置。
【００１９】
［３］前記送信部は、前記特色情報を送信するとき前記所定の一部の色成分以外の色成分の伝送路に前記特色の濃度情報を送信する
ことを特徴とする［２］に記載の画像形成装置。
【００２１】
［４］前記送信部は、前記同期情報を送信するとき、前記所定の一部の色成分以外の色成分の伝送路に他の情報を送信する
ことを特徴とする［２］または［３］に記載の画像形成装置。
【００２２】
［５］前記合計が前記第２の値以外の所定の複数の値のいずれかである場合は前記同期情報であることを示し、前記複数の値のそれぞれは別の情報をさらに示す
ことを特徴とする［１］または［２］に記載の画像形成装置。
【００２３】
［６］前記送信部は、画像の有効期間中は画素単位に、前記画像データを送信するか前記特色情報を送信するかを選択する
ことを特徴とする［１］乃至［５］のいずれか１つに記載の画像形成装置。
【００２９】
［７］複数の色成分で構成された画像データを伝送するための伝送路を使用して画像形成部へデータを伝送するデータ伝送方法であって、
前記画像データは、前記複数の色成分の合計の最大値が、前記色成分のそれぞれが取り得る最大値の合計値より小さい所定の制限値に制限されており、
前記伝送路を使用して、前記画像データと、前記画像データが取り得ない値を使用して前記画像データ以外の所定の情報を前記画像形成部へ送信すると共に、前記画像データの送信に伴って画像の同期信号として画像の有効領域外であることを示す同期情報を前記合計が前記制限値を超える第１の値になるようにして送信し、前記所定の情報として前記複数の色成分と異なる特色の色材を使用して画像形成するための特色情報を画像の有効期間に送信するときは前記合計が前記制限値を超える第２の値になるようにする
ことを特徴とするデータ伝送方法。
【００３２】
［８］前記所定の情報を送信する場合に、前記複数の色成分のうちの所定の一部の色成分のみで前記制限値を超える値を生成する
ことを特徴とする［７］に記載のデータ伝送方法。
【００３３】
［９］前記特色情報を送信するとき前記所定の一部の色成分以外の色成分の伝送路に前記特色の濃度情報を送信する
ことを特徴とする［８］に記載のデータ伝送方法。
【００３４】
［１０］前記同期情報を送信するとき、前記所定の一部の色成分以外の色成分の伝送路に他の情報を送信する
ことを特徴とする［８］または［９］に記載のデータ伝送方法。
【００３５】
［１１］前記合計が前記第２の値以外の所定の複数の値のいずれかである場合は前記同期情報であることを示し、前記複数の値のそれぞれは別の情報をさらに示す
ことを特徴とする［７］または［８］に記載のデータ伝送方法。
【００３６】
［１２］画像の有効期間中は画素単位に、前記画像データを送信するか前記特色情報を送信するかを選択する
ことを特徴とする［７］乃至［１１］のいずれか１つに記載のデータ伝送方法。
【発明の効果】
【００３９】
本発明に係る画像形成装置、データ伝送方法によれば、通常の画像データを伝送するための伝送路を使用して他の情報をさらに伝送することができるので、多様な情報を少ない信号線で伝送することができ、信号線の増加を防止し、さらには信号線の削減を図ることができる。
【図面の簡単な説明】
【００４０】
【図１】本発明の実施の形態に係る画像形成システムの概略構成を示す図である。
【図２】コントローラから画像形成装置本体へデータを伝送する部分の構成を示すブロック図である。
【図３】最大のトナー量とトナー量の制限値との関係を示す図である。
【図４】トナー量の制限値以下にトナー量を削減する方法の一例を示す図である。
【図５】主走査方向の１ラインの一部の画素で特色を使用する場合に送信部が生成するデータ等を示す図である。
【図６】主走査方向の１ラインの一部の画素で特色Ｚを使用し、他の一部で特色Ｓを使用する場合に送信部が生成するデータ等を示す図である。
【図７】画像の同期信号をＣ、Ｍ、Ｙ、Ｋの成分に埋め込んだ例を示す図である。
【図８】ＲＸＤ、ＣＴＳをＣ、Ｍ、Ｙの成分に埋め込んだ例を示す図である。
【図９】埋め込み前（および復元後）のデータと、伝送路に伝送されるデータ（埋め込み後のデータ）との関係を表した変換テーブルの一例を示す図である。
【図１０】特色が使用される画像の一例を示す図である。
【図１１】Ｃ、Ｍ、Ｙ、Ｋ、Ａの画像データで画像形成する画像形成装置における画像データの伝送系を示す図である。
【図１２】特色を追加した場合の従来の画像形成装置における画像データの伝送系を示す図である。
【発明を実施するための形態】
【００４１】
以下、図面に基づき本発明の各種の実施の形態を説明する。
【００４２】
図１は、本発明の実施の形態に係る画像形成システム２の概略構成を示す図である。画像形成システム２は、スキャナ部８で光学的に読み取って得た原稿画像を記録紙上に画像形成して出力するコピー機能、外部から入力された印刷データに基づく画像を記録紙上に画像形成して出力する印刷機能などを果たす。画像形成システム２は、画像形成装置本体５と、画像形成装置本体５の前段に接続された給紙装置６と、画像形成装置本体５の後段に接続される後処理装置７と、印刷データを解析して画像データを生成(ＲＩＰ処理)するコントローラ３を備えている。なお、画像形成装置は、画像形成装置本体５とコントローラ３を備えて構成される。
【００４３】
給紙装置６は、大量の記録紙を収容可能であって印刷の際に記録紙を１枚ずつ画像形成装置本体５に送り出す。後処理装置７は、画像形成装置本体５から出力される記録紙に、折り、綴じ、穴あけなどの加工を施す機能や、印刷された記録紙を大量に収容する機能を果たす。コントローラ３と画像形成装置本体５は伝送路２５で接続されている。
【００４４】
画像形成装置本体５は、主走査方向とこれに直交する副走査方向に画素を配列した二次元画像を形成する。画像形成装置本体５は、エンジン（画像形成部）１０と、装置全体の動作の制御や傾き補正（スキュー補正）や微小変倍などの画像処理等を行う全体制御部２０と、コントローラ３から各種のデータを受信する受信部２２を備えている。エンジン１０は、無端で環状に掛け渡された所定幅の中間転写ベルト１１と、この中間転写ベルト１１上に、それぞれ単一色のトナー像を形成するイエロー（Ｙ）、マゼンタ（Ｍ）、シアン（Ｃ）、ブラック（Ｋ）、特色（Ｚ）の色別の４つの像形成部１２Ｙ、１２Ｍ、１２Ｃ、１２Ｋ、１２Ｚと、記録紙上に形成されたトナー像を記録紙に加圧加熱して定着させる定着装置１３等を有する。なお、色別の像形成部１２Ｙ、１２Ｍ、１２Ｃ、１２Ｋ、１２Ｚを総称して像形成部１２とする。
【００４５】
通常の画像は、Ｃ、Ｍ、Ｙ、Ｋの色成分の画像形成ユニット１２Ｙ、１２Ｍ、１２Ｃ、１２Ｋを使用してカラー画像が形成される。特色Ｚは、顧客等から要望のあった特別な色である。特色ＺはＣ、Ｍ、Ｙ、Ｋの組み合わせでは正確に再現できない色などである。特色Ｚを用いて画像形成する画素については、特色Ｚのトナーのみを使用し、Ｃ、Ｍ、Ｙ、Ｋのトナーは使用しない。すなわち、Ｃ、Ｍ、Ｙ、Ｋのトナーを使用して画像形成するか特色Ｚを使用して画像形成するかは画素単位に選択される。
【００４６】
像形成部１２Ｙ、１２Ｍ、１２Ｃ、１２Ｋ、１２Ｚは、使用されるトナーの色は異なるが互いに構造は同一である。像形成部１２Ｙ、１２Ｍ、１２Ｃ、１２Ｋ、１２Ｚは、表面に静電潜像が形成される静電潜像担持体としての円筒状の感光体ドラム１４を有し、その周囲に帯電装置、現像装置、転写装置、クリーニング装置などを配置して備える。またレーザ素子であるレーザーダイオード（ＬＤ）、ポリゴンミラー、各種レンズおよびミラー等で構成されたレーザーユニット１６を備えている。更に像形成部１２Ｙ、１２Ｍ、１２Ｃ、１２Ｋ、１２Ｚは、対応するレーザーユニット１６のレーザーダイオードを駆動するＬＤ制御部などを備えている。
【００４７】
各像形成部１２Ｙ、１２Ｍ、１２Ｃ、１２Ｋ、１２Ｚにおいて、感光体ドラム１４は図示省略の駆動部に駆動されて一定方向に回転し、帯電装置は感光体ドラム１４を一様に帯電させ、レーザーユニット１６は対応する色の画像データに応じてオン／オフ制御されたレーザービームで感光体ドラム１４を走査（主走査方向の走査）することによって感光体ドラム１４の表面に静電潜像を形成する。
【００４８】
現像装置は、感光体ドラム１４上の静電潜像をトナーによって顕像化する。感光体ドラム１４の表面に形成されたトナー像は、中間転写ベルト１１と接触する箇所で中間転写ベルト１１に転写される。クリーニング装置は、転写後に感光体ドラム１４の表面に残留するトナーをブレード等で擦って除去し回収する。
【００４９】
中間転写ベルト１１は複数のローラに掛け渡すようにして巻回されて図中の矢印Ａ方向に周回する。周回する過程で、Ｙ、Ｍ、Ｃ、Ｋ、Ｚの順に各色の画像（トナー像）が像形成部１２Ｙ、１２Ｍ、１２Ｃ、１２Ｋ、１２Ｚによって中間転写ベルト１１上に重ね合わされてフルカラーのカラー画像が合成される。なお、特色を使用する画素については特色のトナー像のみが中間転写ベルト１１上に形成される。このカラー画像は、二次転写位置Ｄで中間転写ベルト１１から記録紙に転写される。また、中間転写ベルト１１に残ったトナーは二次転写位置Ｄの下流に設けたクリーニング装置１７によって除去される。定着装置１３は、記録紙の搬送路１８の途中の二次転写位置Ｄより下流の位置に設けられている。
【００５０】
搬送路１８は、給紙装置６から送り込まれた記録紙を搬送し、二次転写位置Ｄおよび定着装置１３を通過させて、後段の後処理装置７へ排紙する機能を果たす。搬送路１８は、搬送経路を形成する搬送ローラやガイドのほか、搬送ローラを駆動するモータなどで構成される。
【００５１】
このほか画像形成装置本体５は、ユーザが原稿台にセットした原稿を読み取るスキャナ部８、ユーザからの操作の受け付けや各種画面の表示を行う操作パネル９などを備えている。
【００５２】
図２は、画像データの伝送に係る部分を示す図である。コントローラ３は、印刷データをＲＩＰ処理して画像データを生成したり、同期信号、画像形成装置本体５に対する各種のコマンドを出力したりする画像処理部３１と、画像処理部３１から入力された画像データ、同期信号、コマンドを、伝送に必要な信号線の数を低減するための埋め込み処理を行って画像形成装置本体５へ送信する送信部３２を有している。コントローラ３はサーバとして構成されてもよい。
【００５３】
画像処理部３１は、画像データとして、Ｃ、Ｍ、Ｙ、Ｋ、Ｚの各色成分の濃度データ（それぞれ８ビット）と、各画素が文字であるか写真であるかなどの属性を示すＴＡＧデータ（Ａ）を生成する。特色を使用しない画素については、Ｃ、Ｍ、Ｙ、Ｋ、Ａを成分とする画像データを生成し、特色を使用する画素についてはＺとＡのみを成分とする画像データを生成する。
【００５４】
また、画像処理部３１は、主走査方向のライン先頭からライン終端までオンになり、ラインとラインの間の帰線期間はオフになる水平同期信号（ＨＶ）、主走査方向のライン先頭からライン終端までオンになり、ラインとラインの間の帰線期間はオフになる垂直同期信号（ＶＶ）、ライン単位の有効画素の開始位置を示すインデックス信号（ＩＤＸ）、シリアル通信に使用するＲＸＤ信号、ＣＴＳ信号等を出力する。ＨＶは主走査方向の画像領域を、ＶＶは副走査方向の画像領域を、ＩＤＸはレーザー光の走査タイミングを示す。
【００５５】
送信部３２は、Ｃ、Ｍ、Ｙ、Ｋ、Ａの成分を並列に伝送するための伝送路２５のみで、Ｃ、Ｍ、Ｙ、Ｋ、Ａ、Ｚの各成分の画像データ、水平同期信号（ＨＶ）、垂直同期信号（ＶＶ）、インデックス信号（ＩＤＸ）、ＲＸＤ信号、ＣＴＳ信号の各情報を伝送するように、情報の埋め込み処理を行う。埋め込み処理の詳細は後述する。
【００５６】
画像形成装置本体５が有する受信部２２は、コントローラ３の送信部３２から伝送されてきたデータを受信し、これを埋め込み処理前の状態に復元する復元処理を行う。ここでは、受信部２２は、Ｃ、Ｍ、Ｙ、Ｋ、Ａの成分を並列に伝送するための伝送路２５を通じて伝送されてきたデータを、Ｃ、Ｍ、Ｙ、Ｋ、Ａ、Ｚの各成分の画像データ、水平同期信号（ＨＶ）、垂直同期信号（ＶＶ）、インデックス信号（ＩＤＸ）、ＲＸＤ信号、ＣＴＳ信号の各情報に復元して全体制御部２０へ出力する。なお、全体制御部２０では、受信部２２から出力された画像データに対してキュー補正や微小変倍などの画像処理も行われる。全体制御部２０は、Ｃ、Ｍ、Ｙ、Ｋ、Ａの各成分の信号および水平同期信号（ＨＶ）、垂直同期信号（ＶＶ）、インデックス信号（ＩＤＸ）を像形成ユニット１２へ出力する。
【００５７】
コントローラ３の送信部３２は、トナー量制限を利用して埋め込み処理を行う。特色を使用しない画素の画像データでは、各成分の濃度（トナー量）はＣ：８ｂｉｔ（００〜ＦＦ）、Ｍ：８ｂｉｔ（００〜ＦＦ）、Ｙ：８ｂｉｔ（００〜ＦＦ）、Ｋ：８ｂｉｔ（００〜ＦＦ）で表される。各成分の値がそれぞれＦＦならば、各色で１００％に対応する量のトナーが感光体ドラム１４に乗ることになる。したがって、図３に示すように、Ｃ、Ｍ、Ｙ、Ｋの各成分の値がすべてＦＦならば、転写後の記録紙上には、各色のトナーが重ねられて４００％のトナーが乗ることになる。
【００５８】
しかし、１画素に対して一定量以上のトナーが乗ると定着不良を起こしてしまうため、コントローラ３の画像処理部３１は、一定量以上のトナーが乗らないように制限して画像データを生成する。したがって、画像処理部３１から出力される画像データは、トナー量制限内に収まるように補正されている。一般には、Ｃ、Ｍ、Ｙ、Ｋを合わせて２７５％を超えることが無いよう制限される。
【００５９】
たとえば、図４に示すように、Ｃ：８０％、Ｍ：９０％、Ｙ：９５％、Ｋ：４０％の場合、トナー量の合計は３０５％になり、トナー量の制限値２７５％を超過してしまう。このような場合の補正方法の一例として、Ｃ、Ｍ、Ｙのそれぞれから同量のトナーを減算し、その代替として減算した総トナー量の３分の１の量だけＫのトナーを増加させる。これは、同量のＣ、Ｍ、Ｙを混合するとＫとほぼ等しい色が再現されることによる。
【００６０】
図４の例では、Ｃ、Ｍ、Ｙからそれぞれ３０％を減算し、その代替にＫを３０％増加させることでトナー量を６０％減少させ、総トナー量が２４５％になるように補正している。トナー量の制限値以下にトナー量を制限するための補正方法はこれに限定されず、任意でよい。
【００６１】
上記のトナー量制限により、特色を使用しない画像データにおいては、Ｃ：ＦＦ、Ｍ：ＦＦ、Ｙ：ＦＦ、Ｋ：ＦＦのようなデータが送られることはない。この特徴を用いてＣ、Ｍ、Ｙ、Ｋの成分で構成されるデータの中に任意の他のデータを埋め込む。すなわち、Ｃ、Ｍ、Ｙ、Ｋの色成文で構成される画像データが取り得ない値を使用して、該画像データ以外の情報を送信する。
【００６２】
具体的には、送信部３２は、Ｃ、Ｍ、Ｙの成分だけでトナー量の制限値（２７５％）を超えるデータ（例えばＣ：ＦＦ、Ｍ：ＦＦ、Ｙ：ＦＦ（トナー量３００％））を生成し、通常のＣ、Ｍ、Ｙ、Ｋで表される画像データと異なる所定の情報を伝送していることを画像形成装置本体５側の受信部２２に伝える。通常のＣ、Ｍ、Ｙ、Ｋで表される画像データと異なる所定の情報の例は、特色の画像データ、画像の同期信号（ＨＶ、ＶＶ、ＩＤＸ）、通信コマンド（ＲＸＤ、ＣＴＳ）などである。
【００６３】
このように、Ｃ、Ｍ、Ｙ、Ｋの成分で構成される画像データを伝送するための伝送路２５に、該画像データが取り得ない値を使用して、Ｃ、Ｍ、Ｙ、Ｋの成分で構成される画像データ以外の所定の情報を送信するので、所定の情報を送信するために、別途、伝送路を設ける必要がない。
【００６４】
＜特色の埋め込み＞
特色ＺはＣ、Ｍ、Ｙ、Ｋの組み合わせでは正確に再現できない色などであり、同じ画素に対してＣ、Ｍ、Ｙ、Ｋの成分と併用されることはないという特徴がある。そこで、特色Ｚを使用する画素であるか否かをＣ、Ｍ、Ｙの成分で表現する。
【００６５】
たとえば、特色Ｚを使用する画素は、Ｃ：ＦＦ、Ｍ：ＦＦ、Ｙ：ＦＦ（Ｃ、Ｍ、Ｙのトナー量合計で３００％）とし、これらの成分だけでトナー量の制限値（２７５％）を超える値を形成し、この画素が特色Ｚを使用する画素であることを画像形成装置本体５の受信部２２に通知する。同時にＫの成分で特色Ｚの濃度データを伝送し、Ａの成分（ＴＡＧ）で特色データを通知する。特色を使用しない画素は、画像処理部３１が生成したＣ、Ｍ、Ｙ、Ｋ、Ａの各成分をそのまま伝送路２５を通じて画像形成装置本体５の受信部２２へ伝送する。トナー量制限が働いているので、画像処理部３１が生成したＣ、Ｍ、Ｙ、Ｋ、Ａの各成分をそのまま送信すれば、総トナー量はトナー量の制限値（２７５％）以下になる。
【００６６】
受信部２２は、伝送路２５を通じて伝送されてきたデータを受信し、該受信したデータがトナー量の制限値を超えない場合は、該データをＣ、Ｍ、Ｙ、Ｋを色成分とする通常の画像データとして出力し、受信したデータがトナー量の制限値を超える場合は、該データを所定の情報に復元して出力する。
【００６７】
図５は、主走査方向の１ラインの一部の画素で特色を使用する場合に送信部３２が生成する埋め込み処理後のデータ等を示している。画像形成対象の画像４１の中の主走査方向の注目ライン４２において、Ｃ、Ｍ、Ｙ、Ｋの色成分を使用する通常の画素においては、伝送される埋め込み処理後のデータにおけるＣ、Ｍ、Ｙ、Ｋの各色成分は、それぞれの色成分の濃度データ（Ｃdata、Ｍdata、Ｙdata、Ｋdata）を伝送し、Ａ成分はＴＡＧ（Ａdata）を伝送する。
【００６８】
特色を使用する画素については、伝送される埋め込み処理後のデータにおけるＣ、Ｍ、Ｙの各色成分の値はすべてＦＦとし、Ｋの成分で特色の濃度データ（Ｚdata）を伝送し、Ａの成分はＴＡＧ（Ａdata）を伝送する。
【００６９】
複数の特色を扱う場合には、Ｃ、Ｍ、Ｙの成分の値を、合計が２７５％を超える範囲で、特色毎に相違させる。たとえば、特色（Ｚ）と特色（Ｓ）を扱う場合、特色Ｓは［Ｃ：ＦＦ、Ｍ：ＦＦ、Ｙ：ＦＦ］、特色Ｓは［Ｃ：ＦＥ、Ｍ：ＦＥ、Ｙ：ＦＦ］のようにトナー量制限（２７５％）を超える範囲の中でパターンを持たせ、どの特色であるかを識別するための情報を埋め込む。
【００７０】
図６は、主走査方向の１ラインの一部の画素で特色Ｚを使用し、他の一部で特色Ｓを使用する場合に送信部２２が生成する埋め込み処理後のデータ等を示している。画像形成対象の画像４３の中の主走査方向の注目ライン４４において、通常のＣ、Ｍ、Ｙ、Ｋの色成分を使用する画素については、伝送される埋め込み処理後のデータにおけるＣ、Ｍ、Ｙ、Ｋの各色成分はそれぞれの成分の濃度データ（Ｃdata、Ｍdata、Ｙdata、Ｋdata）を伝送し、Ａの成分はＴＡＧ（Ａdata）を伝送する。
【００７１】
特色Ｚを使用する画素については、伝送される埋め込み処理後のデータにおけるＣ、Ｍ、Ｙの色成分の値はすべてＦＦとし、Ｋの成分で特色の濃度データ（Ｚdata）を伝送し、Ａの成分はＴＡＧ（Ａdata）を伝送する。特色Ｓを使用する画素については、伝送される埋め込み処理後のデータにおけるＣ、Ｍ、Ｙの色成分の値はすべてＦＥ、ＦＥ、ＦＦとし、Ｋの成分で特色Ｓの濃度データ（Ｓdata）を伝送し、Ａの成分はＴＡＧ（Ａdata）を伝送する。
【００７２】
このように、Ｃ、Ｍ、Ｙ、Ｋの成分で構成される画像データを伝送するための伝送路２５を使用して、Ｃ、Ｍ、Ｙ、Ｋの成分で構成される画像データと、該画像データが取り得ない値を使用して、特色を使用する画素の画像データ（特色情報）を伝送するので、特色の画像データを伝送するために新たな伝送路を増設する必要がない。
【００７３】
また、Ｃ、Ｍ、Ｙ、Ｋの成分のうちの一部であるＣ、Ｍ、Ｙの成分のみでトナー量の制限値を超えるようにしたので、他の成分（８ビット）を利用して特色の濃度データを、階調数を減らすことなく、伝送することができる。
【００７４】
また、トナー量の制限値を超える値は複数取り得るので、Ｃ、Ｍ、Ｙの成分のみで表したトナー量の制限値を超えた値を相違させることで、異なる情報を、上記の例では、特色の種類を伝送することができる。
【００７５】
＜画像の同期信号の埋め込み＞
前述のように、画像の同期信号として水平同期信号（ＨＶ）、垂直同期信号（ＶＶ）、インデックス信号（ＩＤＸ）がある。垂直同期信号（ＶＶ）、インデックス信号（ＩＤＸ）は、水平同期信号（ＨＶ）の領域外（オフ期間）でしか遷移しないという特徴がある。
【００７６】
ここで、水平同期信号（ＨＶ）の信号遷移をＣ、Ｍ、Ｙの成分の中に埋め込むことを考える。画像データが伝送されるのは、水平同期信号（ＨＶ）がオンの期間のみである。したがって、トナー量の制限値を超える値であって特色を示すために割り当てた値と異なる所定の値を水平同期信号（ＨＶ）のオフ期間を示す値に割り当てればよい。
【００７７】
たとえば、Ｃ：ＦＤ（２５３）、Ｍ：ＦＤ（２５３）、Ｙ：ＦＤ（２５３）で、水平同期信号（ＨＶ）がオフ期間であることを示すようにすれば、主走査方向の有効画像領域外（ＨＶ＝Ｌ）か否かを画像形成装置本体５側に伝送することができる。そして、主走査方向の有効画像領域外（ＨＶ＝Ｌ）の期間のＫ成分を利用して垂直同期信号の遷移、インデックス信号の遷移を伝送する。
【００７８】
たとえば、Ｋ成分の１ｂｉｔ目で垂直同期信号（ＶＶ）、２ｂｉｔ目でインデックス信号（ＩＤＸ）を伝送すれば、Ｃ、Ｍ、Ｙ、Ｋの成分に対応するデータの中に画像の同期信号を埋め込むことができ、従来は専用に用意していた水平同期信号（ＨＶ）、垂直同期信号（ＶＶ）、インデックス信号（ＩＤＸ）の伝送路を削減することができる。なお、画像領域（ＨＶ＝Ｈ）では画像データの伝送を行う。図７は、画像の同期信号をＣ、Ｍ、Ｙ、Ｋ、Ａの成分に埋め込んだ例を示している。
【００７９】
＜ページ間コマンドの埋め込み＞
さらに、トナー量の制限値を超えるパターンの中にコントローラ３から画像形成装置本体５に伝送すべき各種のコマンド信号を埋め込む。たとえば、シリアル通信（ＵＡＲＴ信号のやりとり）を行う場合、Ｋ成分の３ｂｉｔ目をＲＸＤに、４ｂｉｔ目をＣＴＳに割り当てて、ページ間コマンドのやり取りを行う。ページとページの間の期間では垂直同期信号（ＶＶ）はオフになる。
【００８０】
また、Ｋ成分を使用せず、Ｃ、Ｍ、Ｙの成分の値のみで、ページ間コマンドを伝送することもできる。
【００８１】
たとえば、
Ｃ：ＦＤ（２５３）、Ｍ：ＦＤ（２５３）、Ｙ：ＦＤ（２５３）ならばＲＸＤ＝Ｌ、ＣＴＳ＝Ｌ
Ｃ：ＦＣ（２５２）、Ｍ：ＦＣ（２５２）、Ｙ：ＦＣ（２５２）ならばＲＸＤ＝Ｈ、ＣＴＳ＝Ｈ
Ｃ：ＦＤ（２５３）、Ｍ：ＦＢ（２５１）、Ｙ：ＦＢ（２５１）ならばＲＸＤ＝Ｈ、ＣＴＳ＝Ｌ
Ｃ：ＦＤ（２５３）、Ｍ：ＦＡ（２５０）、Ｙ：ＦＡ（２５０）ならばＲＸＤ＝Ｌ、ＣＴＳ＝Ｈ
と割り当てて、Ｐａｇｅ間コマンドのやり取りを行う。
【００８２】
いずれもＣ、Ｍ、Ｙ成分の合計がトナー量の制限値を超える値になっている。図８は、ＲＸＤ、ＣＴＳをＣ、Ｍ、Ｙの成分に埋め込んだ例を示している。
【００８３】
図９は、埋め込み前（および復元後）のデータと、伝送路に伝送される埋め込み処理後のデータとの関係を示す変換テーブル５０の一例を示す。送信部３２は、このような変換テーブル５０を参照して埋め込み処理を行い、受信部２２は同じ変換テーブル５０を参照して、復元処理を行う。
【００８４】
このように、本実施の形態に係る画像形成システム２では、基本色（Ｃ、Ｍ、Ｙ、Ｋ、Ａ）の成分を伝送するための伝送路２５のみを使用して、特色の画像データや、画像の同期信号、ページ間のコマンドなどを伝送することができるので、伝送路の増設を防ぎ、さらには伝送路を削減することができる。
【００８５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８６】
各実施の形態に係る画像形成システム２では、Ｃ、Ｍ、Ｙ、Ｋ、Ａの成分を通常の画像データの成分としたが、該成分はこれに限定されるものではなく、画像形成部で通常使用される色成分の数に依存して適宜に変更される。また、トナー量の制限値は実施の形態で例示した値に限定されない。
【００８７】
埋め込み処理によって埋め込む情報は実施の形態で例示したものに限定されず、任意の情報でよい。たとえば、トナー量の制限値が２７５％であれば、Ｃ、Ｍ、Ｙの成分のみで２７５％を超える値の組み合わせは６０以上存在するので、それらを利用して多様な情報を伝送することができる。さらに、実施の形態では、一部の成分（Ｃ、Ｍ、Ｙの成分）だけでトナー量の制限値を超えるようにしたので、他の成分（Ｋ、Ａの成分）を自由に使用できる。たとえば、同じ画素に対して２種類の特色を重ね合わせて画像形成するような場合、Ｋ成分は第１の特色の濃度データ、Ａ成分は第２の特色の濃度データを伝送するといったことも可能になる。
【００８８】
実施の形態では、電子写真方式のエンジン１０を例示したが、インクジェットなど他の方式でもよい。
【００８９】
また、実施の形態では、コントローラ３を画像形成装置本体５の外部に設けたが、コントローラ３は画像形成装置本体５の内部に設けられてもよい。この場合、伝送路２５は、装置内部で信号を伝送する。
【符号の説明】
【００９０】
２…画像形成システム
３…コントローラ
５…画像形成装置本体
６…給紙装置
７…後処理装置
８…スキャナ部
９…操作パネル
１０…エンジン
１１…中間転写ベルト
１２（１２Ｙ、１２Ｍ、１２Ｃ、１２Ｋ、１２Ｚ）…像形成部
１３…定着装置
１４…感光体ドラム
１６…レーザーユニット
１７…クリーニング装置
１８…搬送路
２０…全体制御部
２２…受信部
２５…伝送路
３１…画像処理部
３２…送信部
４１…画像形成対象の画像（特色１種）
４２…注目ライン
４３…画像形成対象の画像（特色２種）
４４…注目ライン
５０…変換テーブル
Ａ…周回方向
Ｄ…二次転写位置
【図１】
0006489302.tif 000002
【図２】
0006489302.tif 000003
【図３】
0006489302.tif 000004
【図４】
0006489302.tif 000005
【図５】
0006489302.tif 000006
【図６】
0006489302.tif 000007
【図７】
0006489302.tif 000008
【図８】
0006489302.tif 000009
【図９】
0006489302.tif 000010
【図１０】
0006489302.tif 000011
【図１１】
0006489302.tif 000012
【図１２】
0006489302.tif 000013